(57)【要約】【課題】移動式粉末消火設備を構成する開閉扉の開口角度及び表示灯の視野角を確保し、移動式粉末消火設備を壁面に埋め込まれた状態で設置できるようにする【解決手段】移動式粉末消火設備を構成する開閉扉７１を、第一扉７１１と、第二扉７１２と、第二扉７１２を第一扉７１１に対して開閉可能とする第二蝶番７１４とで構成することにより、第二扉７１２を第一扉７１１に対して開いた状態とすることができる。したがって、移動式粉末消火設備を壁６に埋め込んだ場合においても、ホースの引き出しに支障のない十分な開口を確保することができるとともに、表示灯７２の視野角も確保することができる。【選択図】図５
2018196579.tif 000002
【特許請求の範囲】
【請求項１】
少なくとも、粉末消火薬剤を貯蔵する薬剤容器と、前記薬剤容器から前記粉末消火薬剤を導出するための可とう性のホースと、前記消火薬剤を放出させるためのノズルと、前記消火薬剤を放出する圧力を得るために前記薬剤容器に接続される加圧用ガス容器とが格納箱に収容されて構成される移動式粉末消火設備であって、
前記格納箱は、
箱本体と、
前記箱本体に対して第一蝶番を介して開閉可能に取り付けられた開閉扉と
を備え、
前記開閉扉は、
一端が前記第一蝶番に取り付けられた第一扉と、
前記第一扉の他端に取り付けられた第二蝶番と、
一端が前記第二蝶番に取り付けられた第二扉と
を備えた移動式粉末消火設備。
【請求項２】
前記第二扉の前面には前方に突出した表示灯が設けられ、前記第一扉は、前記表示灯の前方への突出量以上の幅を有する
請求項１に記載の移動式粉末消火設備。
【発明の詳細な説明】
【技術分野】
【０００１】
本発明は、火災発生時に人がホースを持って火元へ移動し、格納箱に収納された薬剤容器内の粉末消火薬剤を加圧によりホースから放出させることで、火災を消火できる、移動式粉末消火設備に関する。
【背景技術】
【０００２】
移動式粉末消火設備は、主に駐車場や航空機格納庫等に設置されており、粉末消火薬剤を貯蔵する薬剤容器と、薬剤容器から粉末消火薬剤を導出するための可撓性のホース（例えば、ホースの根元部分と先端部分とには平常時は閉じられている開閉弁が配設されている。）と、ホースの先端部に設けられ消火薬剤を目的とする場所に向かって放出させるためのノズルとを備えている。また、消火薬剤を放出するための圧力を得るために、薬剤容器には加圧用のガスが入った加圧用ガス容器が併設されており、薬剤容器、ホース、ノズル及び加圧用ガス容器の一式が、例えば図８に示す格納箱８に収容されている。格納箱８は、箱本体８０と、蝶番８１を介して箱本体に取り付けられた開閉扉８２とを備えており、作業者は、開閉扉８２を開けることにより、格納箱８に収容されたホース等にアクセス可能となっている。また、開閉扉８２には、表示灯８３が前方に突出して設けられている（例えば、特許文献１参照）。
【０００３】
火災の発生に際して、使用者が移動式粉末消火設備を使用する場合には、まず格納箱８の開閉扉８２を開き、加圧用ガス容器のハンドルを回して容器弁を開く。この操作により、加圧用ガス容器からガスが薬剤容器内に流れ込み、薬剤容器内がガスによって加圧される。次いで、ホースの根元側の放出弁を開くことで、ホース内に粉末消火薬剤と加圧用ガスとが充填される。ホースを火災の発生場所の付近にまで届くように捌いて、ホース先端のノズルを火元へ向けた状態で、ホースとノズルとの接続部分に設けられた開閉弁を開くことで、ノズルから消火薬剤が放出される。
【先行技術文献】
【特許文献】
【０００４】
【特許文献１】特開２００１−２５９０６６号公報
【発明の概要】
【発明が解決しようとする課題】
【０００５】
移動式粉末消火設備は、その大半が開放空間に設置されるが、美観などの設置現場の事情によっては、例えば図８に示すように壁９に埋め込まれた状態での設置をエンドユーザーが希望することも少なくない。
【０００６】
しかし、格納箱８の開閉扉８２は、ホースを引き出す際の妨げにならぬよう、可能な限り広い開口角度（理想的には１８０度に近い角度）を有することが要求される。法律等で明確に基準が定められているわけではないが、所轄消防による消防検査では、開閉扉８２の開口角度が消火薬剤放出用ホースの引き出しの妨げにならないかどうかの確認が行われる。したがって、格納箱８を壁面９０に対して完全に埋め込んでしまうと、図８に示すように、開閉扉８２を半開状態までしか開くことができなくなり、十分な開口角度を確保することができなくなる。一方、開閉扉８２が完全に開くようにするためには、格納箱８を壁面８０よりも前方に突出させなければならず、美観に関するエンドユーザーの要望に応えることができない。
【０００７】
また、図９に示すように、表示灯８３は、取り付け面である壁面９０に対してθ度の角度を有する方向に沿って１０メートル離れたところから視認できることが要求されており、このθの値は１５度以下であることが必要とされる（消防法施行規則第２４条の８の２）。すなわち、表示灯８３の視認性を保つためには、１５０度以上の視野角が確保されることが必要となる。したがって、図９に示すように、開閉扉８２の前面８２ａが壁面９０よりも奥側に位置するようにして格納箱８を壁９に完全に埋め込んでしまうと、表示灯８３に対する必要な視野角を確保することができなくなることがある。また、この場合も、開閉扉８２の十分な開口角度を確保することができない。
【０００８】
本発明は、このような問題にかんがみなされたもので、移動式粉末消火設備を構成する格納箱に備えられた開閉扉の開口角度及び表示灯の視野角に関する所定の条件を満たしつつ、移動式粉末消火設備を壁面に埋め込まれた状態で設置できるようにすることを目的とする。
【課題を解決するための手段】
【０００９】
本発明は、少なくとも、粉末消火薬剤を貯蔵する薬剤容器と、前記薬剤容器から前記粉末消火薬剤を導出するための可とう性のホースと、前記消火薬剤を放出させるためのノズルと、前記消火薬剤を放出する圧力を得るために前記薬剤容器に接続される加圧用ガス容器とが格納箱に収容されて構成される移動式粉末消火設備であって、前記格納箱は、箱本体と、前記箱本体に対して第一蝶番を介して開閉可能に取り付けられた開閉扉とを備え、前記開閉扉は、一端が前記第一蝶番に取り付けられた第一扉と、前記第一扉の他端に取り付けられた第二蝶番と、一端が前記第二蝶番に取り付けられた第二扉とを備える。
この移動式粉末消火設備において、前記第二扉の前面には前方に突出した表示灯が設けられている構成では、前記第一扉が、前記表示灯の前方への突出量以上の幅を有することが望ましい。
【発明の効果】
【００１０】
本発明に係る移動式粉末消火設備は、第一扉と、第二扉と、第二扉を第一扉に対して開閉可能とする第二蝶番とで開閉扉を構成したため、第二扉を第一扉に対して開いた状態とすることができる。したがって、壁に埋め込んだ場合においても、ホースの引き出しに支障のない十分な開口を確保することができるとともに、表示灯の視野角も確保することができる。
また、第二扉の前面に前方に突出した表示灯が設けられており、第一扉が、表示灯の前方への突出量以上の幅を有する構成とすると、第二扉を開くにあたり、表示灯が妨げにならないため、ホースの引き出しに支障のない程度の十分な開口を確保することができる。
【図面の簡単な説明】
【００１１】
【図１】移動式粉末消火設備の内部を示す正面図である。
【図２】移動式粉末消火設備の外観を示す正面図である。
【図３】開閉扉の背面側を示す斜視図である。
【図４】移動式粉末消火設備の第一設置例を示す横断面図である。
【図５】移動式粉末消火設備の第一設置例において開閉扉を開いた状態を示す横断面図である。
【図６】移動式粉末消火設備の第二設置例を示す横断面図である。
【図７】移動式粉末消火設備の第二設置例において開閉扉を開いた状態を示す横断面図である。
【図８】従来の移動式粉末消火設備の第一設置例を示す横断面図である。
【図９】従来の移動式粉末消火設備の第二設置例を示す横断面図である。
【発明を実施するための形態】
【００１２】
図１に示す移動式粉末消火設備１は、粉末消火薬剤を貯蔵する薬剤容器２と、薬剤容器２から粉末消火薬剤を導出するための可撓性のホース３と、粉末消火薬剤を放出させるためのノズル４と、粉末消火薬剤を放出させる圧力を得るために薬剤容器２に接続される加圧用ガス容器５と、薬剤容器２、ホース３、ノズル４及び加圧用ガス容器５を収納する格納箱７とを備えている。
【００１３】
格納箱７は、天板７ａと、左右の側板７ｂ、７ｃと、背板７ｄとを有し、前面側が開口し縦長箱形に形成された箱本体７０を備えている。また、格納箱７は、図２に示すように、箱本体７０の前面の開口を塞ぐように開閉可能に取り付けられた開閉扉７１を備えている。
【００１４】
図２及び図３に示すように、開閉扉７１は、第一扉７１１と第二扉７１２とを備えている。第一扉７１１の一端には第一蝶番７１３の例えば雄側が取り付けられており、第一蝶番７１３の例えば雌側は、図１に示した箱本体７０の側板７ｂに取り付けられている。すなわち、第一扉７１１は、第一蝶番７１３を介して箱本体７０に対して開閉可能に取り付けられている。図２に示した第一蝶番７１３は旗蝶番であるが、旗蝶番に代えて裏蝶番を使用することもできる。
【００１５】
第一扉７１１の他端には、第二蝶番７１４の例えば雄側が取り付けられており、第二蝶番７１４の例えば雌側は、第二扉７１２の一端に取り付けられている。すなわち、第二扉７１２は、第二蝶番７１４を介して第一扉７１１に対して開閉可能に取り付けられており、開閉扉７１は、第二蝶番７１４において折り曲げることが可能となっている。なお、図２に示した第二蝶番７１４は旗蝶番であるが、旗蝶番に代えて裏蝶番を使用することもできる。
【００１６】
図２に示すように、第二扉７１２の前面７１２ａには表示灯７２が装備されている。表示灯７２は、第二扉７１２の前面７１２ａから前方に突出しているタイプのものであってもよいし、開閉扉７１の前面から突出しないフラットなタイプのものであってもよい。本実施形態における表示灯７２は、前方に突出したタイプとする。
【００１７】
また、第二扉７１２の前面には、使用者が開閉の際に把持する取っ手７３が取り付けられている。使用者が取っ手７３を手前側に引くことで、第一扉７１１に対して第二扉７１２を前方に開放することができ、また、第一扉７１１を前方に開放することができる。
【００１８】
格納箱７は、格納箱７の重量を支えるための受台７４上に、ボルト等によって縦姿勢で締結固定されている。格納箱７が固定された受台７４は、床面上にアンカーボルト等で固定される。
【００１９】
図１に示すように、内部に粉末消火薬剤が充填されている薬剤容器２は、格納箱７に対して結合固定されている。薬剤容器２を構成する容器本体２０には、内部にクリーニング用ガス（例えば、二酸化炭素ガス）が充填されたクリーニング用ガス容器２６が固定されている。クリーニング用ガス容器２６は、移動式粉末消火設備１が使用されることで粉末消火薬剤が導出されたホース３をガスクリーニングするために用いられる。
【００２０】
ホース３の一端３０は、第一開閉弁３８を介して薬剤容器２の消火薬剤導出口２８に接続されている。ホース３の他端３１は、第二開閉弁３７を介してノズル４に接続されている。
【００２１】
加圧用ガス容器５の内部には加圧用ガス（例えば、二酸化炭素ガス）が充填されている。加圧用ガス容器５は、薬剤容器２内に加圧用ガスを供給して加圧状態にするために用いられる。加圧用ガス容器５は、薬剤容器２に固定されている。加圧用ガス容器５から流出する加圧用ガスの経路となる流路Ｌの一端は、薬剤容器２の加圧用ガス導入口２９に接続されている。
【００２２】
移動式粉末消火設備１は、図４に示すように、格納箱７を壁６に埋め込み、第一扉７１１及び第二扉７１２が閉まった状態において、第一扉７１１の前面７１１ａ及び第二扉７１２の前面７１２ａが、壁面６０に対してほぼ面一となるように設置される。このとき、表示灯７２は、壁面６０よりも前方に突出する。
【００２３】
移動式粉末消火設備１の使用時や点検時は、図２に示した取っ手７３を前方に引くことにより、図５に示すように、第二扉７１２及び第一扉７１１を開放する。そうすると、第二扉７１２は第二蝶番７１４を軸として壁面６０側に屈曲し、第一扉７１１は、第一蝶番７１３を軸として前方側に屈曲する。第一扉７１１は、壁６に接触するために大きく開くことはできないが、第一扉７１１の幅Ｗ１は、第二扉７１２の幅Ｗ２よりも小さいため、第二扉７１２を開くことにより、箱本体７０の前面側に、ホース３の引き出しに支障のない程度の十分な開口を確保することができる。
【００２４】
第一扉７１１の幅Ｗ１は、表示灯７２の前方突出量Ｄ１よりも大きくすることが望ましい。このような関係が成立する場合は、第二扉７１２を壁面６０に近づけるように大きく開くことができるため、箱本体７０の前面の開口を十分に確保することができる。また、第一扉７１１の前面７１１a及び第二扉７１２の前面７１２aを、壁面６０に対してほぼ面一となるように設置できるため、美観に関するエンドユーザーの要望に応えることが可能となる。
【００２５】
図６に示すように、第一扉７１１及び第二扉７１２が閉まった状態において、第一扉７１１の前面７１１ａ及び第二扉７１２の前面７１２ａが、壁面６０より奥側に位置するように移動式粉末消火設備１を設置してもよい。この場合は、１５０度以上の視野角を確保できれば、表示灯７２の前方突出部分が壁面６０よりも奥側に位置していてもよい。
【００２６】
また、図７に示すように、第一扉７１１及び第二扉７１２を開けたときに、第一扉７１１の他端側が壁面６０よりも前方に突出する場合は、その突出量Ｄ２が少なくとも表示灯７２の前方突出量Ｄ１よりも大きくなるようにすると、第二扉７１２を、壁面６０と平行になるか、またはそれ以上に開くことができる。したがって、ホース３の引き出しに支障のない十分な開口を確保することができる。
【００２７】
なお、本発明に係る移動式粉末消火設備１は、上記実施形態に限定されるものではなく、また、添付図面に図示されている各構成の形状等についても、これに限定されず、本発明の効果を発揮できる範囲内で適宜変更可能である。
【符号の説明】
【００２８】
１：移動式粉末消火設備
２：薬剤容器
２０：容器本体  ２６：クリーニング用ガス容器  ２９：加圧用ガス導入口
３：ホース
３０：一端  ３１：他端
３７：第二開閉弁  ３８：第一開閉弁
４：ノズル
５：加圧用ガス容器
６：壁  ６０：壁面
７：格納箱
７０：箱本体  ７ａ：天板  ７ｂ，７ｃ：側板  ７ｄ：背板
７１：開閉扉
７１１：第一扉  ７１１ａ：前面
７１２：第二扉  ７１２ａ：前面
７１３：第一蝶番  ７１４：第二蝶番
７２：表示灯  ７３：取っ手  ７４：受台
【図１】
2018196579.tif 000003
【図２】
2018196579.tif 000004
【図３】
2018196579.tif 000005
【図４】
2018196579.tif 000006
【図５】
2018196579.tif 000007
【図６】
2018196579.tif 000008
【図７】
2018196579.tif 000009
【図８】
2018196579.tif 000010
【図９】
2018196579.tif 000011